(57)【要約】      （修正有）【課題】製品を容易に取り出すことができる包装体を提供する。【解決手段】底板１Ｖの、右フラップ１ＲＦが設けられた辺の近傍には、取り出し方向と平行な２つの縁切り部１Ｃが設けられている。体重計を取り出すときには、取り出し側を上向きにし、舌片１Ｔを抜き、右側板１Ｒ、右フラップ１ＲＦを開け、さらに折り曲げ線１１に沿って底板１Ｖ曲げ、上部が露出された保護材に指を掛けて上方に引き抜く。押込部を設けたので、容易に保護材を包装体１から引き抜くことが出来る。【選択図】図３
2013227066.tif 000002
【特許請求の範囲】
【請求項１】
商品を梱包し、該商品を一側面から取り出すことができる包装体であって、
前記一側面の取出側板の内側に折り畳まれた取出フラップが設けられた板には内部に向かう少なくとも２つの縁切り部が設けられていることを特徴とする包装体。
【請求項２】
一面に設けられた板と他面に設けられたフラップとが重合されて一側面が形成されていることを特徴とする請求項１に記載の包装体。
【請求項３】
前記取出フラップに延び代が設けられていることを特徴とする請求項１又は２に記載の包装体。
【請求項４】
一側面の取出側板の内側に折り畳まれた取出フラップが設けられた板には取り出し方向と平行な２つの縁切り部が設けられている包装体に収容される、商品を覆うことにより商品を保護する保護材であって、
指掛け部が設けられていることを特徴とする保護材。
【請求項５】
収容されると、前記包装体の取出側板に位置することとなる取出フラップに、前記指掛け部側に厚くなるよう押込部が設けられていることを特徴とする請求項４に記載の保護材。
【請求項６】
前記取出フラップには挿入代が設けられ、該挿入代の長さ／前記取出フラップの長さは、０．０５〜１であることを特徴とする請求項1乃至３のいずれかに記載の包装体。
【請求項７】
展開した状態において平面視矩形板状をなし、概略３等分され、中央部分が底面、一端部分が中面、他端部分が上面をなし、
該上面の端部にはストッパが設けられ、該ストッパの先端には係合部が設けられ、該係合部が係合可能な被係合部が前記中面に設けられたことを特徴とする請求項４に記載の保護材。
【発明の詳細な説明】
【技術分野】
【０００１】
本発明は、包装体に関する。
【背景技術】
【０００２】
従来より製品を梱包するために包装体が用いられている。例えば、特許文献１参照。
【先行技術文献】
【非特許文献】
【０００３】
【特許文献１】特開２００２−１２２２５号公報
【発明の概要】
【発明が解決しようとする課題】
【０００４】
しかしながら、従来の包装体では、製品を取り出すことが困難であるという問題点があった。
【０００５】
本発明は斯かる課題に鑑みてなされたもので、上記課題を解決できる包装体を提供することを目的とする。
【課題を解決するための手段】
【０００６】
本願発明の要旨は、商品を梱包し、該商品を一側面から取り出すことができる包装体であって、
前記一側面の取出側板の内側に折り畳まれた取出フラップが設けられた板には内部に向かう少なくとも２つの縁切り部が設けられていることを特徴とする包装体に存する。
請求項２記載の発明の要旨は、一面に設けられた板と他面に設けられたフラップとが重合されて一側面が形成されていることを特徴とする請求項１に記載の包装体に存する。
請求項３記載の発明の要旨は、前記取出フラップに延び代が設けられていることを特徴とする請求項１又は２に記載の包装体に存する。
請求項４記載の発明の要旨は、一側面の取出側板の内側に折り畳まれた取出フラップが設けられた板には取り出し方向と平行な２つの縁切り部が設けられている包装体に収容される、商品を覆うことにより商品を保護する保護材であって、指掛け部が設けられていることを特徴とする保護材に存する。
請求項５記載の発明の要旨は、収容されると、前記包装体の取出側板に位置することなる取出フラップに、前記指掛け部側に厚くなるよう押込部が設けられていることを特徴とする請求項４に記載の保護材に存する。
請求項６記載の発明の要旨は、前記取出フラップには挿入代が設けられ、該挿入代の長さ／前記取出フラップの長さは、０．０５〜１であることを特徴とする請求項1乃至３のいずれかに記載の包装体。
請求項７記載の発明の要旨は、展開した状態において平面視矩形板状をなし、概略３等分され、中央部分が底面、一端部分が中面、他端部分が上面をなし、該上面の端部にはストッパが設けられ、該ストッパの先端には係合部が設けられ、該係合部が係合可能な被係合部が前記中面に設けられたことを特徴とする請求項４に記載の保護材。
【発明の効果】
【０００７】
本発明によれば、窪み等を設けたので、容易に製品を取り出すことができる。
【図面の簡単な説明】
【０００８】
【図１】本発明の一実施形態の包装体を示す斜視図である。
【図２】図１の示す包装体の展開図である。
【図３】図１に示す包装体の底面図である。
【図４】図１に示す包装体から保護材を取り出す状態を示す斜視図である。
【図５】図４に示す保護材の展開図である。
【図６】図４に示す保護材の指掛け部の拡大正面図である。
【図７】図６に押込部を形成する概念図である。
【図８】図６のｘ−ｘ断面矢視図である。
【図９】図６のｘ−ｘ断面矢視図である。
【図１０】本願発明の他の実施の形態を示す正面図である。
【図１１】図１０に示す包装体の使用状態を示す動作側面図である。
【図１２】落下試験結果を示す平面写真である。
【図１３】本発明の他の実施の形態を示す正面図である。
【図１４】本発明の他の実施の形態を示す正面図である。
【図１５】本発明の他の実施の形態を示す正面図である。
【図１６】本発明のその他の実施の形態に係る保護材の正面図である。
【図１７】図１６に示す保護材の底面図である。
【図１８】図１６に示す保護材の底面図である。
【図１９】図１６に示す保護材の側面図である。
【図２０】図１６に示す保護材の側面図である。
【図２１】本発明のその他の実施の形態に係る包装体の落下試験結果を示す図である。
【発明を実施するための形態】
【０００９】
以下、図面を参照して、本発明の一実施形態を説明する。
【００１０】
図１に示す包装体１は、体重計等の製品（図示せず）を梱包するもので、材質は段ボールである。直方体であり、上板１Ｕ及び底板１Ｖは略正方形をなし、側面を前側板１Ｆ、後側板１Ｂ、左側板１Ｌ、右側板（取出側板）１Ｒに囲まれている。体重計を右側面から取り出す事が出来るものである。
【００１１】
包装体１を展開すると図２に示す如き形状をなす。上表面及び下表面が紙面に描かれている。上板１Ｕ、前側板１Ｆ、底板１Ｖが連続し、上板１Ｕの周囲には、左側板１Ｌ、後側板１Ｂ、右側板１Ｒが形成されている。後側板１Ｂには耳片１ｅ１、１ｅ２が設けられている。前側板１Ｆには耳片１ｅ３、１ｅ４が設けられている。底板１Ｖの周囲には、左フラップ１ＬＦ、後フラップ１ＢＦ、右フラップ（取出フラップ）１ＲＦが形成されている。
左側板１Ｌ及び右側板１Ｒには、挿入片１ｉが設けられている。挿入片１ｉには舌入スリット１ｔｓがそれぞれ設けられている。左フラップ１ＬＦ及び右フラップ１ＲＦには、それぞれ挿入スリット１ｉｓが設けられ、舌片１Ｔが形成されている。
底板１Ｖの、右フラップ１ＲＦが設けられた辺の近傍には、取り出し方向と平行な２つの縁切り部１Ｃが設けられている。縁切り部１Ｃの先端間には、折り曲げ線１１が設けられている。
【００１２】
組み立てる際には、まず、後側板１Ｂと後フラップ１ＢＦとが、後フラップ１ＢＦが内側になるように重合接着される。次いで、折られた左フラップ１ＬＦ、右フラップ１ＲＦの挿入スリット１ｉｓに、左側板１Ｌ、右側板１Ｒを折りながら挿入片１ｉが挿入され、次いで、舌入スリット１ｔｓに舌片１Ｔを挿入する。以上により包装体１が組み立てられる。組み立てられた状態を図３に示す。図３は、右側面を紙面奥手に向けた底面図である。
【００１３】
体重計を取り出すときには、取り出し側（本実施の形態では右側）を上向きにし、舌片１Ｔを抜き、右側板１Ｒ、右フラップ１ＲＦを開け、さらに折り曲げ線１１に沿って底板１Ｖ曲げる。そして図４に示すように上部が露出された保護材２に指を掛けて上方に引き抜く。
【００１４】
保護材２は、体重計を覆い、落下等から体重計を保護する物であり、材質は段ボールである。図５に示すように、切り欠かかれることにより指掛け部２ａが設けられている。取出フラップ２Ｆは、上段２Ｆａ、中段２Ｆｂ、下段２Ｆｃから構成されている。上段２Ｆａには舌片２Ｆａｔが形成されている。下段２Ｆｃには、切欠２Ｆｃｄが形成されている。
【００１５】
取出フラップ２Ｆには、図６に示すように、押込部２ｂが設けられている。押込部２ｂは、図７に示すように、中段２Ｆｂが下段２Ｆｃの、体重計を保護した状態における内側に重合するように折り曲げられ、上段２Ｆａが当該外側に重合するように折り曲げられて設けられている。上段２Ｆａを固定するには、下段２Ｆｃと中段２Ｆｂとの間隙に切欠２Ｆｃｄから舌片２Ｆａｔを挿入することにより行われる。
【００１６】
押込部２ｂは、図８に示す如く指掛け部２ａに指が挿入されると、中段２Ｆｂに接触する摩擦により下段２Ｆｃの厚み方向中央を回転中心として回転し、図９に示す如く上方に引き上げることが可能となる。
【００１７】
本実施形態によれば、縁切り部１Ｃを設けたので、底面を開くことができ、その結果、保護材２を取りやすくすることができる。なお、縁切り部１Ｃは、スリット、切欠、切断など、縁が切れていればよい。
【００１８】
また、押込部２ｂを設けたので、容易に保護材２を包装体１から引き抜くことが出来る。
【００１９】
また、特許文献１（特開２００２−１２２２５号公報）では、本実施の形態の底面に相当する部分の縁に重合された部分により不陸ができる。これに対して、本実施の形態によれば、重合接着される部分が後側板１Ｂと後フラップ１ＢＦなので、底面に不陸ができない。その為、商品が傾斜せず、商品の出し入れをしやすくすることが出来る。
【００２０】
なお、図１０及び図１１に示すように取出フラップ２Ｆに挿入代を設けることもできる。斯かる構成では、挿入代が包装体１’の内面と保護材２との間に挿入されることにより、縁切り部１Ｃが落下等で開き、商品が破損することを防止することが出来る。挿入代を図１０のように一つにしても良いが、複数個に分けても良い。
【００２１】
落下試験の結果、延び代が設けられていない場合には、図１２に示す如く体重計の液晶部が破損した。
【００２２】
また、図１３に示すように縁切り部１１Ｃを設ける場所は板の縁に限定されない。
【００２３】
また、本発明に係る縁切り部は、取出方向と平行でなくとも良い。保護材が露出されるように、底板の内部に向かって縁切りされていればよい。一例を図１４に示す。また、直線に限定されず曲線、折れ線等、好適なものが含まれる。
【００２４】
また、包装体や保護材の形状、材料等も本実施の形態に限定されるものではなく、その他、本発明を実施する上で好適な形状を含む。
【００２５】
また、図１５のように舌片１Ｔ’、１Ｔ’を２つ若しくは３つ以上も受けても良い。斯かる場合には落下した場合に、縁切り部が開いて商品が破損することをより防止することが出来る。また、面積が大きい商品にも有益である。
【００２６】
また、指掛け部は、上記の如く切欠に固定されているが、接着することにより設けられても良い。また、上段を設けずに中段のみ下段に内側に重合しても良い。
また、保護材として図１６に示す形状とすることも出来る。図１６に示すように、保護材２’を展開した状態において平面視矩形板状をなし、概略３等分され、中央部分が底面、一端部分（紙面下部）が中面、他端部分（紙面上部）が上面をなしている。この上面の端部にはストッパが設けられている。ストッパの先端には鉤状の係合部が設けられている。組み立てられた状態において係合部が係合可能な被係合部が中面に設けられている。
組み立てる場合には、まず中面を折り、この中面の上に製品を載置し、さらに上面を折り曲げて製品を覆うようにする。ストッパを紙面垂直方向に折り曲げて切り込みに挿入し、係合部を被係合部に係合する。被係合部は、底面から中面に至る切り込みである。切り込みの中面部分の長さは底面のそれよりも短いので、係合部が中面に係合することとなる。係合前の状態を図１７及び図１９に、係合した状態を図１８及び図２０に示す。
なお、本実施の形態ではストッパは１つであったが、本発明はそれに限定されず、本発明を実施する上で好適な数にすることができる。
また、取出フラップには挿入代が設けられ、挿入代の短手方向の長さ／取出フラップの短手方向の長さは、０．０５〜１が好ましい。図２１に示す実験結果より、前記比が０．０５以上で取出フラップが開く回数が半減したからである。なお、前記比が1以上では取出フラップを開けることが出来ないので１を上限とした。
【符号の説明】
【００２７】
１，１’    包装体
１Ｃ，１１Ｃ  縁切り部
１Ｕ  上板
１Ｖ  底板
１Ｆ  前側板
１Ｂ  後側板
１Ｌ  左側板
１ＢＦ  後フラップ
１ＬＦ  左フラップ
１Ｒ  右側板（取出側板）
１ＲＦ  右フラップ（取出フラップ）
１ｉ  挿入片
１Ｔ，１Ｔ’  舌片
１１  折り曲げ線
１ｅ１〜１ｅ４  耳片
１ｉｓ  挿入スリット
１ｔｓ  舌入スリット
２，２’  保護材
２ａ  指掛け部
２Ｆ  取出フラップ
２Ｆａ  上段
２Ｆａｔ  舌片
２Ｆｂ  中段
２Ｆｃ  下段
２Ｆｃｄ  切欠
２ｂ  押込部
【図１】
2013227066.tif 000003
【図２】
2013227066.tif 000004
【図３】
2013227066.tif 000005
【図４】
2013227066.tif 000006
【図５】
2013227066.tif 000007
【図６】
2013227066.tif 000008
【図７】
2013227066.tif 000009
【図８】
2013227066.tif 000010
【図９】
2013227066.tif 000011
【図１０】
2013227066.tif 000012
【図１１】
2013227066.tif 000013
【図１２】
2013227066.tif 000014
【図１３】
2013227066.tif 000015
【図１４】
2013227066.tif 000016
【図１５】
2013227066.tif 000017
【図１６】
2013227066.tif 000018
【図２１】
2013227066.tif 000019
【図１７】
2013227066.tif 000020
【図１８】
2013227066.tif 000021
【図１９】
2013227066.tif 000022
【図２０】
2013227066.tif 000023